(57)【要約】【課題】全長の短縮を可能にした防水コネクタを提供すること【解決手段】ハウジング１１の嵌合部１１ｃ内に、端子収容穴１１ｄを横切る向きにプリセット位置とセット位置の間を移動可能なリテーナ１３を組み込む。さらに、嵌合部が相手側コネクタ２の嵌合穴２１ｂに嵌合したとき該嵌合穴の内周面に密着してシールするシール部材１２を嵌合部の外周面に取り付ける。リテーナは、プリセット位置にあるとき端子収容穴の側方に退避して端子１７を端子収容穴に挿入可能とし、セット位置にあるとき端子収容穴に突出して端子と係合し抜け止め保持する突起部１３ｄを有する。リテーナとシール部材は相手側コネクタとの嵌合方向で互いに重なる位置に設けられている。【選択図】図２
2011187204.tif 000002
【特許請求の範囲】
【請求項１】
相手側コネクタの嵌合穴に嵌合する嵌合部を有し、該嵌合部内に相手側コネクタとの嵌合離脱方向に貫通する端子収容穴を有するハウジングと、前記嵌合部内に前記端子収容穴を横切るようにしてプリセット位置とセット位置の間を移動可能に組み込まれたリテーナと、前記嵌合部の外周面に取り付けられ、前記嵌合部が前記嵌合穴に嵌合したとき該嵌合穴の内周面に密着してシールするシール部材とを備え、前記リテーナは、前記プリセット位置にあるとき前記端子収容穴の側方に退避して端子を端子収容穴に挿入可能とし、前記セット位置にあるとき前記端子収容穴に突出して前記端子と係合し抜け止め保持する突起部を有し、前記リテーナと前記シール部材は相手側コネクタとの嵌合方向で互いに重なる位置に設けられていることを特徴とする防水コネクタ。
【請求項２】
前記嵌合部の前側端面にリテーナ装着凹部が形成され、該リテーナ装着凹部に前記リテーナを収容し、前記嵌合部の前側端面に前記端子収容穴と連通する端子収容穴が形成されたフロントキャップを取り付け、前記リテーナを前記リテーナ装着凹部の底部と前記フロントキャップとの間に挟み込むようにして組み付けてなることを特徴とする、請求項１に記載の防水コネクタ。
【請求項３】
前記リテーナは操作部を有し、該操作部が前記フロントキャップに設けたリテーナ操作部挿通穴を介して前記フロントキャップの前側端面に露出され、前記リテーナが横動操作可能になっていることを特徴とする、請求項２に記載の防水コネクタ。
【請求項４】
前記リテーナを前記プリセット位置と前記セット位置とに選択的に位置決め保持する位置決め機構を有することを特徴とする、請求項３に記載の防水コネクタ。
【請求項５】
前記位置決め機構は、前記リテーナ装着凹部及び前記リテーナの何れか一方に設けられた係止ダボと、前記リテーナ装着凹部及び前記リテーナの何れか他方に設けられた係止アームとを含み、前記リテーナの横動により前記係止アームが前記係止ダボを弾性的に乗り越えて移動し前記係止タボの両側にそれぞれ係止されることを特徴とする、請求項４に記載の防水コネクタ。
【請求項６】
前記嵌合部の外周面の前側端部に一段低いシール部材装着部が形成されており、前記シール部材装着部に前記シール部材が装着され、前記シール部材装着部の後側段面と前記フロントキャップの後面の周縁部との間に挟まれるようにして前記シール部材が保持されていることを特徴とする、請求項２から５のいずれか一項に記載の防水コネクタ。
【請求項７】
前記端子は係止穴を有し、前記端子収容穴の内壁面にランスを備え、前記端子の前記端子収容穴への挿入により前記ランスが前記係止穴に係合することで前記端子を１次係止し、前記リテーナを前記プリセット位置からセット位置に移動することで前記端子を２次係止することを特徴とする、請求項１から６のいずれか一項に記載の防水コネクタ。
【発明の詳細な説明】
【技術分野】
【０００１】
本発明は、防水コネクタに関し、特に、端子収容穴を横切る向きに移動可能なリテーナを用いて端子を係止する防水コネクタに関する。
【背景技術】
【０００２】
特許文献１はこの種の防水コネクタを開示している。その防水コネクタについて、図１７を参照して簡単に説明する。ハウジング本体１の前端１ａ側の回りに設けたフード部２の奥端におけるハウジング本体１の外周にシールリング３が嵌着される。ハウジング本体１の側面におけるシールリング３の装着位置の前方にリテーナ挿入溝４が形成される。フード部２の側面にリテーナ挿入溝４に対応して開けられた窓孔（図示せず）を通して、リテーナ挿入溝４にリテーナ５が差し込まれる。リテーナ５は、端子金具６Ａ，６Ｂの挿抜を許容する仮係止位置と、端子金具６Ａ，６Ｂの段差部７に係止する本係止位置とでそれぞれ保持される。リテーナ５の操作はハウジング本体１の前面側から行われる。
【先行技術文献】
【特許文献】
【０００３】
【特許文献１】特開２０００−１７３７０９号公報
【発明の概要】
【発明が解決しようとする課題】
【０００４】
特許文献１に開示された防水コネクタにおいては、シールリング３によるシール面よりも前方にリテーナの差し込み位置が形成されている。即ち、シールリング３よりも前方にリテーナ挿入溝４があり、しかも、リテーナ挿入溝４に対応して窓孔が形成されている。このように、リテーナの差し込み位置とシール面とが前後方向、即ち、相手側コネクタとの嵌合方向で位置ずれしている構造では、防水コネクタの全長が長くなることを避け得ない。
【０００５】
それ故に本発明は、上述した課題を解決した防水コネクタを提供することを例示的目的とする。
【課題を解決するための手段】
【０００６】
本発明の一態様によれば、相手側コネクタの嵌合穴に嵌合する嵌合部を有し、該嵌合部内に相手側コネクタとの嵌合離脱方向に貫通する端子収容穴を有するハウジングと、前記嵌合部内に前記端子収容穴を横切るようにしてプリセット位置とセット位置の間を移動可能に組み込まれたリテーナと、前記嵌合部の外周面に取り付けられ、前記嵌合部が前記嵌合穴に嵌合したとき該嵌合穴の内周面に密着してシールするシール部材とを備え、前記リテーナは、前記プリセット位置にあるとき前記端子収容穴の側方に退避して端子を端子収容穴に挿入可能とし、前記セット位置にあるとき前記端子収容穴に突出して前記端子と係合し抜け止め保持する突起部を有し、前記リテーナと前記シール部材は相手側コネクタとの嵌合方向で互いに重なる位置に設けられていることを特徴とする防水コネクタが得られる。
【０００７】
前記嵌合部の前側端面にリテーナ装着凹部が形成され、該リテーナ装着凹部に前記リテーナを収容し、前記嵌合部の前側端面に前記端子収容穴と連通する端子収容穴が形成されたフロントキャップを取り付け、前記リテーナを前記リテーナ装着凹部の底部と前記フロントキャップとの間に挟み込むようにして組み付けてもよい。
【０００８】
前記リテーナは操作部を有し、該操作部が前記フロントキャップに設けたリテーナ操作部挿通穴を介して前記フロントキャップの前側端面に露出され、前記リテーナが横動操作可能になっていてもよい。
【０００９】
前記リテーナを前記プリセット位置と前記セット位置とに選択的に位置決め保持する位置決め機構を有してもよい。
【００１０】
前記位置決め機構は、前記リテーナ装着凹部及び前記リテーナの何れか一方に設けられた係止ダボと、前記リテーナ装着凹部及び前記リテーナの何れか他方に設けられた係止アームとを含み、前記リテーナの横動により前記係止アームが前記係止ダボを弾性的に乗り越えて移動し前記係止タボの両側にそれぞれ係止されてもよい。
【００１１】
前記嵌合部の外周面の前側端部に一段低いシール部材装着部が形成されており、前記シール部材装着部に前記シール部材が装着され、前記シール部材装着部の後側段面と前記フロントキャップの後面の周縁部との間に挟まれるようにして前記シール部材が保持されていてもよい。
【００１２】
前記端子は係止穴を有し、前記端子収容穴の内壁面にランスを備え、前記端子の前記端子収容穴への挿入により前記ランスが前記係止穴に係合することで前記端子を１次係止し、前記リテーナを前記プリセット位置からセット位置に移動することで前記端子を２次係止してもよい。
【発明の効果】
【００１３】
本発明の一態様によるコネクタは、リテーナとシール部材が相手側コネクタとの嵌合方向で互いに重なる位置に設けられているので、全長を短く設計することが可能な防水コネクタを提供できる。
【図面の簡単な説明】
【００１４】
【図１】本発明の実施形態に係る防水コネクタをケーブル接続状態で示す全体斜視図。
【図２】図１の防水コネクタを端子を除いて示す分解斜視図。
【図３】図１の防水コネクタのハウジングを示し、（ａ）は左方から見た斜視図、（ｂ）は（ａ）のＢ部拡大図。
【図４】図１の防水コネクタに含まれたリテーナを背面側から見た斜視図。
【図５】リテーナをハウジングに組み込んだ状態の正面図。
【図６】ハウジングに対するリテーナの組み込みを説明するための図であり、（ａ）はリテーナをハウジングに組み込む前の状態の縦断面図、（ｂ）はリテーナをハウジングに組み込んだ後の状態の縦断面図であり、いずれもリテーナはプリセット位置にある。
【図７】ハウジングに対するフロントキャップの組み込みを説明するための図であり、（ａ）はフロントキャップをハウジングに組み込む前の状態の側面図、（ｂ）はフロントキャップをハウジングに組み込んだ後の状態の縦断面図であり、いずれもリテーナはプリセット位置にある。
【図８】図１の防水コネクタの縦断面図であり、リテーナはプリセット位置にある。
【図９】図１の防水コネクタのリテーナがプリセット状態にあるときの状態を示し、（ａ）は正面図、（ｂ）は（ａ）におけるＩＸ−ＩＸ線に沿って得られた断面図。
【図１０】図１の防水コネクタのリテーナがセット状態になったときの状態を示し、（ａ）は正面図、（ｂ）は（ａ）におけるＸ−Ｘ線に沿って得られた断面図。
【図１１】図１の防水コネクタのリテーナがプリセット位置にあるときの状態を示し、（ａ）は部分断面斜視図、（ｂ）は（ａ）のＢ部拡大図、（ｃ）は（ａ）のＣ部拡大図。
【図１２】図１の防水コネクタのリテーナがプリセット位置からセット位置に移動する途中の状態を示し、（ａ）は部分断面斜視図、（ｂ）は（ａ）のＢ部拡大図、（ｃ）は（ａ）のＣ部拡大図。
【図１３】図１の防水コネクタのリテーナがセット位置へ移動した後の状態を示し、（ａ）は部分断面斜視図、（ｂ）は（ａ）のＢ部拡大図、（ｃ）は（ａ）のＣ部拡大図。
【図１４】図１の防水コネクタと相手側コネクタとの嵌合前の状態を示す縦断面図であり、リテーナはプリセット位置にある。
【図１５】図１の防水コネクタと相手側コネクタとの嵌合後の状態を示す縦断面図であり、リテーナはプリセット位置にある。
【図１６】リテーナの位置決め機構の変形例を説明するための図であり、（ａ）はハウジングの斜視図、（ｂ）は（ａ）のＢ部拡大図、（ｃ）はリテーナの斜視図、（ｄ）は（ｃ）のＤ部拡大図。
【図１７】特許文献１（特開２０００−１７３７０９号公報）に開示された防水コネクタを説明するための断面図。
【発明を実施するための形態】
【００１５】
図面を参照して、本発明の実施形態に係る防水コネクタについて説明する。
【００１６】
図１、図２、及び図１４を参照して、防水コネクタ１は、ハウジング１１と、シール部材１２と、リテーナ１３と、フロントキャップ１４と、ケーブル用シール部材１５と、リアカバー１６と、複数の端子１７とを含んでいる。ハウジング１１とリテーナ１３とフロントキャップ１４とリアカバー１６は合成樹脂製、シール部材１２とケーブル用シール部材１５はゴム製、端子１７は金属製である。
【００１７】
ハウジング１１は、前後方向Ａ１に貫通する端子収容穴１１ｄが上下２段になって複数並設された横長長方形状のコネクタ本体１１ａと、コネクタ本体１１ａの前端側を取り囲むように形成されたフード部１１ｂとを有する。フード部１１ｂで囲まれたコネクタ本体１１ａの前側部分は、相手側コネクタ２と嵌合する嵌合部１１ｃを形成する。コネクタ本体１１ａの後側端面にはその周囲部を残してほぼ全面にわたってケーブル用シール部材装着凹部１１ｎが形成され、その底部に端子収容穴１１ｄが開口している。
【００１８】
嵌合部１１ｃの前端側外周面には、一段低く形成されたシール部材装着部１１ｆが形成され、そこに環状のシール部材１２が密着するように装着されている。また、嵌合部１１ｃの上面には、後方に向けてロックアーム１１ｇが形成されている。フード部１１ｂの上壁部はロックアーム１１ｇを囲むようにして上方に膨出している。
【００１９】
さらに図３を参照して、嵌合部１１ｃの前側端面の上半部には、その周囲部を残してリテーナ１３を装着するリテーナ装着凹部１１ｉが形成されている。リテーナ装着凹部１１ｉの底部には、上段の端子収容穴１１ｄが開口している。下段の端子収容穴１１ｄは上部がリテーナ装着凹部１１ｉの内周面に開口した状態で嵌合部１１ｃの前側端面まで延びている。
【００２０】
リテーナ装着凹部１１ｉには、図５及び図９〜１３に示すように、リテーナ１３が正面視右側に寄ったプリセット位置と左側に寄ったセット位置の間を横動可能に装着されている。図１において、Ａ２はリテーナ１３がプリセット位置に向って動く方向を示し、Ａ３はリテーナ１３がセット位置に向って動く方向を示す。
【００２１】
さらに図４〜図６をも参照して、リテーナ１３は、横長枠状で、上枠部１３ａが上段の端子収容穴１１ｄの上部に、下枠部１３ｂが上段と下段の端子収容穴１１ｄ間に位置し、上枠部１３ａと下枠部１３ｂの間の空間部１３ｃが上段の端子収容穴１１ｄに臨むようにしてリテーナ装着凹部１１ｉに装着され、上枠部１３ａの後面に設けた横長のガイド突条１３ｅがリテーナ装着凹部１１ｉの底面に設けた横長のガイド溝１１ｊに挿入されて、リテーナ１３をその位置に保持した状態でプリセット位置とセット位置の間を横動案内するようになっている。
【００２２】
また、リテーナ１３の上枠部１３ａ及び下枠部１３ｂの下縁部には、上段及び下段の端子収容穴１１ｄとそれぞれ同じピッチで複数の突起部１３ｄが形成されている。図５及び図９〜図１３によく示すように、突起部１３ｄは、リテーナ１３がプリセット位置にあるとき端子収容穴１１ｄの側方に退避し、セット位置に移動したとき端子収容穴１１ｄに突出する。
【００２３】
リテーナ１３の上枠部１３ａの中央部には、リテーナ１３を横動操作するための操作部１３ｉが、前方に突出形成されている。
【００２４】
図３、図４、及び図１１〜図１３に示すように、リテーナ１３とリテーナ装着凹部１１ｉとの間には、リテーナ１３をプリセット位置とセット位置にそれぞれ位置決め保持するための位置決め機構が設けられている。すなわち、リテーナ装着凹部１１ｉの右端側底面部には上下方向に撓み変形可能な係止アーム１１ｋが突設され、リテーナ１３の右側枠部１３ｆの後面には係止アーム１１ｋが入る横長の逃げ溝１３ｇが形成され、逃げ溝１３ｇの下面に係止ダボ１３ｈを形成している。この構造により、リテーナ１３の横動により係止ダボ１３ｈが係止アーム１１ｋを上方に撓ませつつ係止アーム１１ｋの右側及び左側に移動して係止アーム１１ｋに係合することで、リテーナ１３をプリセット位置及びセット位置に位置決め保持するようになっている。
【００２５】
なお、リテーナ装着凹部１１ｉの左側側壁内面には、図５及び図６に示すように、リテーナ１３をリテーナ装着凹部１１ｉに組み込む際に、リテーナ１３の左端が当接してリテーナ１３をプリセット位置にガイドするガイド突起１１ｏが設けられている。なお、リテーナ１３がセット位置に移動するとき、図６に示すように、リテーナ１３の左端はリテーナ装着凹部１１ｉの底部とガイド突起１１ｏとの間の空間に入るので、リテーナ１３の横動を邪魔することはない。
【００２６】
嵌合部１１ｃの前側端面には、図７に示されるように、シール部材１２及びリテーナ１３を保持するためのフロントキャップ１４が装着固定される。フロントキャップ１４は、嵌合部１１ｃの外形とほぼ同じ外形を有する長方形板状で、後面の両側下方隅部に設けた位置決め突部１４ｄ（図７（ａ）参照）を、嵌合部１１ｃの前側端面の両側下方隅部に設けた位置決め穴１１ｌ（図５参照）に圧入すると共に、図９に示すように、後面部の両端に突設したコの字状の係止片１４ｅの係止穴１４ｆ（図７（ａ）も参照）を、リテーナ装着凹部１１ｉの側部内面に設けた係止突起１１ｍ（図３、図５も参照）に係止することで、嵌合部１１ｃの前側端面に固定している。このように固定することで、フロントキャップ１４の後面周縁部とシール部材装着部１１ｆの後側段面１１ｆ’との間にシール部材１２を挟むようにして、シール部材１２を保持している。
【００２７】
また、フロントキャップ１４は、図７及び図１１に示すように、後面にリテーナ装着凹部１１ｉに入る横長ブロック状の突部１４ａを有し、突部１４ａとリテーナ装着凹部１１ｉの底面との間にリテーナ１３を挟み込むようにして、リテーナ１３を保持している。また、図１及び図７（ｂ）に示すように、リテーナ１３の操作部１３ｉの先端が、フロントキャップ１４に設けられたリテーナ操作部挿通穴１４ｇからフロントキヤップ１４の前面に露出してリテーナ１３の横動操作が可能となっている。
【００２８】
また、フロントキャップ１４の後面及び突部１４ａの後面には、図７（ｂ）及び図１１に示すように、嵌合部１１ｃの下段及び上段の各端子収容穴１１ｄにそれぞれ連通した複数の端子収容穴１４ｂを有し、端子収容穴１４ｂの前端は相手側端子挿入穴１４ｃとなってフロントキャップ１４の前面に開口している。フロントキャップ１４の外周面は、相手側コネクタ２との嵌合を容易にするためにテーパ面に形成してある。
【００２９】
コネクタ本体１１ａの後側端面のケーブル用シール部材装着凹部１１ｎには、図７（ｂ）及び図９（ｂ）に示すように、ケーブル用シール部材１５及びリアカバー１６が装着固定される。ケーブル用シール部材１５は、図２に示すように、長方形板状で、端子収容穴１１ｄに連通する複数のケーブル挿通穴１５ａを有し、その外周部にはケーブル用シール部材装着凹部１１ｉの内周面に密着してシールするシール用突条１５ｂを有する。リアカバー１６は、図２に示すように、長方形板状で、ケーブル用シール部材１５のケーブル挿通穴１５ａに連通するケーブル挿通穴１６ａを有する。リアカバー１６は、図７（ｂ）及び図９（ｂ）に示すように、ケーブル用シール部材１５と重ね合わせるようにしてケーブル用シール部材装着凹部１１ｎに装着し、後側端縁に設けた係止凹部１６ｂにケーブル用シール部材装着凹部１１ｎの後側端縁に設けた係止爪１１ｐ（図２も参照）を係止させることで固定される。
【００３０】
端子１７は、図８に示すように、前端に箱型の接触部１７ａ、後端に電線圧着部１７ｂを有する。端子１７は、電線圧着部１７ｂにケーブル１８を圧着接続した後、ハウジング１１とシール部材１２とリテーナ１３とフロントキャップ１４とケーブル用シール部材１５とリアカバー１６とを組み付けてなるコネクタ組立体１ａ（図７（ｂ）参照）の端子収容穴１１ｄ、１４ｂに、リテーナ１３をプリセット状態にして、ケーブル挿通穴１６ａ、１５ａから挿入する。
【００３１】
このとき、図８、図９、及び図１１に示すように、リテーナ１３がプリセット位置にあり、突起部１３ｄが端子収容穴１１ｄ、１４ｂの側方に退避した位置にあるので、端子１７は、端子収容穴１１ｄ、１４ｂの奥部まで挿入され、相手側端子挿入穴１４ｃとの境界部である奥部端面に突き当たったところで、端子収容穴１１ｄの内壁部に設けたランス１１ｅが端子１７の中間部に設けた係止穴１７ｃに入って抜け止め状態に１次係止される。
【００３２】
その後、フロントキャップ１４の前面から操作部１３ｉを操作してリテーナ１３をプリセット位置からセット位置に横動させる。すると、図１０、図１３、及び図１４に示すように、リテーナ１３の突起部１３ｄが端子収容穴１１ｄ、１４ｂ内に突出し、箱型接触部１７ａの後側端面に係合して端子１７を抜け止め状態に２次係止する。
【００３３】
このようにして、端子１７はハウジング１１に２重係止されることで、強力に抜け止め保持される。また、このとき、ケーブル用シール部材１５のケーブル挿通穴１５ａの内周面がケーブル挿通穴１５ａに挿通されたケーブル１８の外周面に密着し、ケーブル用シール部材１５の外周面のシール用突条１５ｂがケーブル用シール部材装着凹部１１ｎの内周壁面に密着することで、ケーブル１８とハウジング１１との間がシールされる。このようにしてコネクタ１が完成する。
【００３４】
図１４は、防水コネクタ１と相手側コネクタ２の嵌合前の状態を示す縦断面図、図１５は嵌合後の状態を示す縦断面図である。
【００３５】
図１４及び図１５を参照して、相手側コネクタ２は、前方に開口する嵌合穴２１ｂを備えた嵌合筒部２１ａ有する有底角筒状のハウジング２１と、嵌合穴２１ｂの底部に貫通保持された複数のピン状端子２２とを含み、嵌合筒部２１ａの前端側上壁部には上方に膨出し前方に突出するロック片２１ｃを有する。
【００３６】
相手側コネクタ２の嵌合筒部２１ａを防水コネクタ１の嵌合部１１ｃとフード部１１ｂの間の空間部に挿入すると、相手側コネクタ２の嵌合穴２１ｂに防水コネクタ１の嵌合部１１ｃが入り、ピン状端子２２が相手側端子挿入穴１４ｃから嵌合部１１ｃ内の端子１７の箱型接触部１７ｂに入って接触し、コネクタ１と相手側コネクタ２とが電気的に接続する。また、嵌合部１１ｃの外周面に配設したシール部材１２のシール用突条１２ａが嵌合筒部２１ａの内周面に密着し、防水コネクタ１と相手側コネクタ２間の防水が行われる。また、相手側コネクタ２のロック片２１ｃに設けた係止穴２１ｄが防水コネクタ１のロックアーム１１ｇの係止突起１１ｈに係合し、その嵌合状態をロックする。
【００３７】
図１６は、リテーナをプリセット位置とセット位置に位置決め保持する位置決め機構の変形例である。
【００３８】
この例では、リテーナ装着凹部１１ｉの右端側底面部に係止ダボ１１ｑが形成され、リテーナ１３の右側枠部１３ｆの後面には係止ダボ１１ｑが入る横長の溝空間１３ｊが形成され、溝空間１３ｊ内に、横方向に延び、上下方向に撓み変形可能で、上面に係止突起１３ｋを有する係止アーム１３ｌを設け、リテーナ１３の横動により係止突起１３ｋが係止アーム１３ｌを下方に撓ませつつ係止ダボ１１ｑの右側及び左側に移動し係合することで、リテーナ１３をプリセット位置及びセット位置に位置決め保持するようになっている。
【００３９】
上述した防水コネクタ１によれば、嵌合部外周面にリテーナ１３を差し込むための開ロ部を有していないので、リテーナ１３とシール部材１２を前後方向Ａ１で重なった位置に設けることができ、したがって防水コネクタ１の全長を短くすることができる。
【００４０】
従来の防水コネクタでは、嵌合部の外周面にリテーナを差し込むための開ロ部を有していたため、開口部後方の嵌合部外周面にシール部材を装着せざるを得ず、その分コネクタの全長が長くなっていた。特に、防水コネクタに、樹脂ランスによる端子保持（一次係止）とリテーナによる端子保持（２次係止）の２重係止構造を備えるためには、一般的にオスコネクタ及びメスコネクタともに両ハウジング間の防水に関わる防水範囲よりも前（つまり、相手コネクタ側）にリテーナ組み込みのための開口部を配置しなくてはならないため、既存の防水コネクタの構造にスライド式プリセットリテーナを適用しようとすると、リテーナの厚み分だけ、防水面の位置を後退させなくてはならず、コネクタの全長が長くなってしまう。
【００４１】
これに対し、本発明の実施形態に係る防水コネクタは、嵌合部の外周面に防水用シール部材を備え、嵌合部内に端子係止用の横スライド式リテーナが組み込まれた防水コネクタにおいて、コネクタの全長を短く設計することができる。即ち、リテーナを嵌合部の前側端面から操作可能に組み込み、嵌合部の外周面からのリテーナ組み込み用開口部をなくし、シール部材とリテーナとを嵌合方向において重なった位置に配置して、コネクタの全長の短縮を可能にしている。
【００４２】
また、ハウジングの防水面の内側にリテーナを組み込み、リテーナのスライド動作を手操作する部分のみを防水範囲よりも手前（相手コネクタ側）に突出させることで、ハウジングの外周にはリテーナ組み込み用の開口部を不要としている。したがって、防水範囲やロック機構といった重要機能位置を自由にレイアウトすることが可能である。
【符号の説明】
【００４３】
１  防水コネクタ
１ａ  コネクタ組立体
１１  ハウジング
１１ａ  ハウシング本体
１１ｂ  フード部
１１ｃ  嵌合部
１１ｄ  端子収容穴
１１ｅ  ランス
１１ｆ  シール部材装着部
１１ｆ′  後側段面
１１ｇ  ロックアーム
１１ｈ  係止突起
１１ｉ  リテーナ装着凹部
１１ｊ  ガイド溝
１１ｋ  係止アーム
１１ｌ  位置決め穴
１１ｍ  係止突起
１１ｎ  ケーブル用シールド部材装着凹部
１１ｏ  ガイド突起
１１ｐ  係止爪
１１ｑ  係止ダボ
１２  シール部材
１２ａ  シール用突条
１３  リテーナ
１３ａ  上枠部
１３ｂ  下枠部
１３ｃ  空間部
１３ｄ  突起部
１３ｅ  ガイド突条
１３ｆ  右側枠部
１３ｇ  逃げ溝
１３ｈ  係止ダボ
１３ｉ  操作部
１３ｊ  溝空間
１３ｋ  係止突起
１３ｌ  係止アーム
１４  フロントキヤップ
１４ａ  突部
１４ｂ  端子収容穴
１４ｃ  相手側端子挿入穴
１４ｄ  位置決め突部
１４ｅ  係止片
１４ｆ  係止穴
１４ｇ  リテーナ操作部挿通穴
１５  ケーブル用シール部材
１５ａ  ケーブル挿通穴
１５ｂ  シール用突条
１６  リアカバー
１６ａ  ケーブル挿通穴
１６ｂ  係止凹部
１７  端子
１７ａ  箱型接触部
１７ｂ  電線圧着部
１７ｃ  係止穴
１８  ケーブル
２  相手側コネクタ
２１  ハウジング
２１ａ  嵌合筒部
２１ｂ  嵌合穴
２１ｃ  ロック片
２１ｄ  係止穴
２２  端子
【図１】
2011187204.tif 000003
【図２】
2011187204.tif 000004
【図３】
2011187204.tif 000005
【図４】
2011187204.tif 000006
【図５】
2011187204.tif 000007
【図６】
2011187204.tif 000008
【図７】
2011187204.tif 000009
【図８】
2011187204.tif 000010
【図９】
2011187204.tif 000011
【図１０】
2011187204.tif 000012
【図１１】
2011187204.tif 000013
【図１２】
2011187204.tif 000014
【図１３】
2011187204.tif 000015
【図１４】
2011187204.tif 000016
【図１５】
2011187204.tif 000017
【図１６】
2011187204.tif 000018
【図１７】
2011187204.tif 000019